(57)【要約】      （修正有）【課題】岩場の隙間等に挟まりにくく、根掛かりを起こしにくい釣り用錘を提供する。【解決手段】複数の可撓性突起２２が、球状の錘本体１１の表面に、外側に向かって放射状に伸びるよう設けられている。各可撓性突起２２は、生分解性プラスチック製で、軟質でゴム弾性を有する。細長いレール部材１３が、錘本体１１の表面の一部に沿って、錘本体１１の表面から所定の間隔を開けて設けられている。釣り糸１を留めるための糸留部が、レール部材１３に沿って移動可能に設けられている。【選択図】図１
0003145842.tif 000002
【実用新案登録請求の範囲】
【請求項１】
錘本体と、
前記錘本体の表面に放射状に伸びるよう設けられた、前記錘本体を支持可能な複数の可撓性突起と、
前記錘本体の表面に沿って設けられたレール部材と、
前記レール部材に沿って移動可能に設けられた、釣り糸を留めるための糸留部とを、
有することを特徴とする釣り用錘。
【考案の詳細な説明】
【技術分野】
【０００１】
本考案は、釣り用錘に関する。
【背景技術】
【０００２】
海釣りでは、岩礁帯や玉石底が格好の釣り場であることが多い。しかし、従来の一般的な釣り用錘では、錘が岩場等に挟まり、硬く噛み込んで固着し抜けなくなる根掛かりを頻繁に起こし、釣りの楽しさがそがれることが多い。根掛かりを起こしたときには、道糸や仕掛け糸を切断して対処する必要があり、錘や仕掛けが海底に残されることになる。このような根掛かりを防ぐため、おもり本体とストッパー受具と間にスプリングを設けた錘が提案されている（例えば、特許文献１参照）。
【０００３】
【特許文献１】特開昭５７−１３２８３０号公報
【考案の開示】
【考案が解決しようとする課題】
【０００４】
しかしながら、特許文献１記載の釣り用の錘では、おもり本体やストッパー受具が岩場の隙間等に挟まって噛み込んだ場合には、この根掛かりを外すことはできないという課題があった。
【０００５】
本考案は、このような課題に着目してなされたもので、岩場の隙間等に挟まりにくく、根掛かりを起こしにくい釣り用錘を提供することを目的とする。
【課題を解決するための手段】
【０００６】
上記目的を達成するために、本考案に係る釣り用錘は、錘本体と、前記錘本体の表面に放射状に伸びるよう設けられた、前記錘本体を支持可能な複数の可撓性突起と、前記錘本体の表面に沿って設けられたレール部材と、前記レール部材に沿って移動可能に設けられた、釣り糸を留めるための糸留部とを、有することを特徴とする。
本考案に係る釣り用錘は、特に、球状の錘本体と、前記錘本体の表面に、外側に向かって放射状に伸びるよう設けられた、前記錘本体を支持可能な複数の可撓性突起と、前記錘本体の表面の一部に沿って、前記錘本体の表面から所定の間隔を開けて設けられた細長いレール部材と、前記レール部材に沿って移動可能に設けられた釣り糸を留めるための糸留部とを、有することが好ましい。
【０００７】
本考案に係る釣り用錘は、複数の可撓性突起が、球状の錘本体の表面に放射状に伸びるよう設けられて前記錘本体を支持するため、海釣りのとき、岩場の隙間等の入口周辺に可撓性突起が接触して、岩場の隙間等に挟まりにくくなっている。各可撓性突起が軟質でゴム弾性を有する場合、岩場の隙間等に入ったときにも、可撓性突起がクッションになり、錘本体が直接、岩場の隙間等に挟まれるのを防ぐことができる。このように、軟らかい状態で挟まれるため、釣り糸を緩めたり引っ張ったりして、隙間等から外すことができる。
【０００８】
岩場の隙間等に挟まったとき、釣り糸を緩めたり引っ張ったりすることにより、錘本体の表面の一部に沿って設けられた細長いレール部材に沿って糸留部を移動させることができる。糸留部を移動させることにより、釣り糸を引っ張ったときの作用点を変えて、錘本体にかかる力の向きを変えたり、錘本体の動きに変化をつけたりすることができる。これにより、岩場の隙間等から外れる可能性を高めることができる。このように、本考案に係る釣り用錘は、根掛かりを起こしにくくなっている。
【考案の効果】
【０００９】
本考案によれば、岩場の隙間等に挟まりにくく、根掛かりを起こしにくい釣り用錘を提供することができる。
【考案を実施するための最良の形態】
【００１０】
以下、図面に基づき本考案の実施の形態について説明する。
図１乃至図３は、本考案の実施の形態の釣り用錘を示している。
図１乃至図３に示すように、釣り用錘１０は、錘本体１１と２つのカバー１２とレール部材１３と糸留部１４とを有している。
【００１１】
図１に示すように、錘本体１１は、鉄を鋳込んで球状に形成されている。
各カバー１２は、生分解性のプラスチック製で、半球状の表層部２１と、表層部２１の外側面から外側に向かって針状に突出した複数の可撓性突起２２とを有している。表層部２１は、内側面が球状の錘本体１１の表面にぴったり接触するよう形成されている。各可撓性突起２２は、軟質でゴム弾性を有し、錘本体１１を支持可能である。各カバー１２は、互いに重ならないよう、表層部２１の内側面で錘本体１１の表面に貼り付けられ、錘本体１１の表面を覆っている。これにより、釣り用錘１０は、各可撓性突起２２が錘本体１１の表面から外側に向かって放射状に伸びて、ウニ型あるいは栗のイガ型の形状を成している。
【００１２】
図１に示すように、レール部材１３は、細長い針金から成っている。レール部材１３は、両端部２３が同じ方向にほぼ垂直に折り曲げられ、さらに両端部２３の間の中間部２４が、折り曲げた両端部２３が内側になるよう円弧状に曲げられている。レール部材１３は、中間部２４が錘本体１１の表面の一部に沿って、錘本体１１の表面から所定の間隔を開けて配置されるよう、あらかじめ両端部２３が錘本体１１に鋳込まれている。レール部材１３は、錘本体１１の中心での中心角で９０度から１８０度の範囲で設けられている。レール部材１３は、各可撓性突起２２に接しないよう設けられている。
【００１３】
図２および図３に示すように、糸留部１４は、サルカンから成り、レール部材１３が挿入されたリング状のスライド金具２５と、釣り糸１を留めるリング状の糸留金具２６とを有している。糸留部１４は、スライド金具２５の内径がレール部材１３の太さよりかなり大きく形成されており、レール部材１３に沿ってスムーズに移動可能になっている。
【００１４】
次に、作用について説明する。
釣り用錘１０は、複数の可撓性突起２２が、球状の錘本体１１の表面に、外側に向かって放射状に伸びるよう設けられているため、海釣りのとき、岩場２の隙間３の入口周辺に可撓性突起２２が接触して、岩場２の隙間３に挟まりにくくなっている。岩場２の隙間３に入った場合でも、各可撓性突起２２が軟質でゴム弾性を有するため、可撓性突起２２がクッションになり、錘本体１１が直接、岩場２の隙間３に挟まれるのを防ぐことができる。このように、軟らかい状態で挟まれるため、釣り糸１を緩めたり引っ張ったりして、隙間３から外すことができる。
【００１５】
岩場２の隙間３に挟まったとき、釣り糸１を緩めたり引っ張ったりすることにより、錘本体１１の表面の一部に沿って設けられた細長いレール部材１３に沿って糸留部１４を移動させることができる。糸留部１４を移動させることにより、釣り糸１を引っ張ったときの作用点を変えて、錘本体１１にかかる力の向きを変えたり、錘本体１１の動きに変化をつけたりすることができる。これにより、岩場２の隙間３から外れる可能性を高めることができる。
【００１６】
例えば、図２に示すように、釣り用錘１０は、針金から成るレール部材１３が、糸留部１４による引っ張り力の作用点を変えるため、その作用点の位置によって錘全体の重心が変化し、動きやすくすることができる。また、針状の可撓性突起２２が作用することにより、その弾性力により岩場２から離れ、抜けやすくすることができる。図３に示すように、岩場２の隙間３に挟まったとき、釣り糸１を引っ張ると、針状の可撓性突起２２が、その弾力性による反発力により、錘全体を隙間３の外側へ押し出すため、抜けやすくすることができる。また、糸留部１４がレール部材１３に沿って上下することにより、引っ張り力の作用点を変えることができ、錘全体を動きやすくすることができる。可撓性突起２２による反発力と、錘全体の重心を上方に移動させる力とが合わさることにより、岩場２の隙間３から抜けやすくすることができる。このように、釣り用錘１０は、岩場２の隙間３から抜けやすく、根掛かりを起こしにくい。
【００１７】
なお、釣り用錘１０は、錘本体１１およびレール部材１３が鉄製であり、カバー１２が生分解性のプラスチック製であるため、万が一海底に取り残されても、毒などの有害物質が溶出せず、その周辺の生物への悪影響を防ぐことができる。
【図面の簡単な説明】
【００１８】
【図１】本考案の実施の形態の釣り用錘を示す断面図である。
【図２】図１に示す釣り用錘の使用状態を示す断面図である。
【図３】図１に示す釣り用錘の使用状態を示す正面図である。
【符号の説明】
【００１９】
１    釣り糸
２    岩場
３    隙間
１０  釣り用錘
１１  錘本体
１２  カバー
１３  レール部材
１４  糸留部
２１  表層部
２２  可撓性突起
２３  両端部
２４  中間部
２５  スライド金具
２６  糸留金具
【図１】
0003145842.tif 000003
【図２】
0003145842.tif 000004
【図３】
0003145842.tif 000005